(57)【要約】【課題】従来のライトは光源に電球などを使用しているが、電球の白色光は明るい場所では視認しにくいという問題がある。また、従来のライトで光の照射角が狭いものは、光源の側方から光を視認しにくいという問題がある。そこで本発明は、明るい場所でも光の視認性が良く、かつ、光の照射角が狭くても側方からの光の視認性も良いライトの提供を課題と光の照射角を狭くしても側方からの光の視認性が良く、かつ、明るい場所での視認性も良いライトの提供を課題とする。【解決手段】多数個の無色透明の粒状体５を一体的に結合して成形したカバー１と、有色透明の補助カバー２と、上記の２種類のカバーによって覆う光源を具えたライト本体３とから成る。なお、ライト本体３には、腕などに巻き付け可能なベルト１２を取付けることができる。【選択図】　　　　図１
2004047391.tif 000002
【特許請求の範囲】
【請求項１】
多数個の無色透明の粒状体５を一体的に結合して成形したカバー１と、透光性を有する色付きの補助カバー２と、上記の２種類のカバーによって覆う光源を具えたライト本体３とから成るライト。
【請求項２】
腕などに巻き付け可能なベルト１２をライト本体３に取付けた請求項１記載のライト。
【発明の詳細な説明】
【０００１】
【発明の属する技術分野】
本発明は、ライトに関する。
【０００２】
【従来の技術】
従来のライトは光源に電球などを使用しているが、電球の白色光は明るい場所では視認しにくいという問題がある。また、従来のライトで光の照射角が狭いものは、光源の側方から光を視認しにくいという問題がある。
【０００３】
【発明が解決しようとする課題】
本発明は、明るい場所でも光の視認性が良く、かつ、光の照射角が狭くても側方からの光の視認性も良いライトの提供を課題とする。
【０００４】
【課題を解決するための手段】
上記課題を解決するために、本発明のライトは、多数個の無色透明の粒状体５を一体的に結合して成形したカバー１と、透光性を有する色付きの補助カバー２と、上記の２種類のカバーによって覆う光源を具えたライト本体３とから成る、という構成にしたものである。
【０００５】
なお、本発明のライトは、腕などに巻き付け可能なベルト１２をライト本体３に取付けた構成にすることも可能である。
【発明の実施の形態】
【０００６】
以下、図を用いて本発明の実施の形態について説明する。図１及び図２は第１実施例を示したものである。この第１実施例は、図１に示すように、カバー１と、補助カバー２と、ライト本体３と、カバー固定具４とによって構成している。
【０００７】
カバー１は、多数個の無色透明の粒状体５を一体的に結合して円筒形に成形している。粒状体５の素材は自由であり、例えばプラスチックを使用可能だが、そのプラスチックは弾性を有するものが好ましい。落下したときに衝撃を吸収して破損を防止できるからである。粒状体５の形状は自由であり、球形でも異形でも構わない。ここで異形とは球形以外の形状をいうものとする。また、粒状体５のサイズも自由であるが、外径が数ミリ程度のものが好ましい。
【０００８】
補助カバー２は色付きで透光性を有し円板形を呈している。補助カバー２の素材にはガラスやプラスチックを使用することができる。補助カバー２の色は赤を採用している。
【０００９】
ライト本体３は豆電球６を光源としている。ライト本体３は懐中電灯と同様の構造にしている。すなわち、握り７の内部に電池（図示せず）を収納して、携帯可能にしている。
【００１０】
カバー固定具４は、リング８と、そのリング８の両端を連結してリング８を締め付け可能とする機構を具えている。
【００１１】
図２に示すように、カバー１の一端の内部に補助カバー２を装着して、カバー１の補助カバー２を装着した側の端部をライト本体３の前端外周部に嵌着し、そのライト本体３に対するカバー１の嵌着部の外周部にカバー固定具４を装着して、そのカバー固定具４のリング８によりカバー１を締め付けて固定することができる。
【００１２】
次に、図３及び図４は第２実施例を示したものである。この第２実施例は、図３に示すように、カバー１と、補助カバー２と、ライト本体３と、補助カバー固定具９とによって構成している。
【００１３】
カバー１は、多数個の無色透明の粒状体５を一体的に結合して半卵形に成形している。粒状体５の素材、形状、サイズ等は上記の第１実施例と同様である。
【００１４】
補助カバー２は色付きで透光性を有し、上記のカバー１の外側に被せられるように、カバー１より一回り大きい半卵形を呈している。補助カバー２の素材は、上記の第１実施例と同様にガラスやプラスチックを使用することができる。補助カバー２の色はオレンジ色を採用している。
【００１５】
ライト本体３は上記の第１実施例と同様に豆電球６を光源としている。ライト本体３は基台１０の内部に電池１１を収容するとともに、その基台１０の底にベルト１２を固着している。このベルト１２は腕などに巻き付け可能とするもので、その両端は雌雄の面ファスナ１３，１４で接続可能としている。
【００１６】
補助カバー固定具９は枠状を呈し、上記の補助カバー２の周縁部に設けた鍔部１５を押え止め可能としている。また、爪片１６を有して、その爪片１６をライト本体３の基台１０に係止可能としている。なお、この補助カバー固定具９は、補助カバー２を固定するだけでなく、補助カバー２の内部へ水が浸入するのを防止する防水カバーの役割も有している。
【００１７】
図４に示すように、ライト本体３の基台１０の上にカバー１を被せ、そのカバー１の外側に補助カバー２を被せ、その補助カバー２を補助カバー固定具９で押え止めして固定することができる。
【００１８】
次に、図５は第３実施例を示したものである。この第３実施例は、図に示すように、カバー１と、補助カバー２と、ライト本体３と、カバー固定具４とによって構成している。
【００１９】
カバー１と、ライト本体３と、カバー固定具４は上記の第１実施例と同一である。補助カバー２は色付きで透光性を有し、カバー１の先端開口部に被せることができるキャップ形状にしている。補助カバー２の色は白色を採用している。なお、補助カバー２はカバー１の先端部だけでなく、上記の第２実施例のようにカバー１の全体を覆うことができる形状にすることも可能である。
【００２０】
なお、上記の第１実施例及び第３実施例ではカバー１を円筒形にし、又、第２実施例ではカバー１を半卵形にしているが、カバー１の形状は自由であり、これら実施例の形状に限定するものではない。
【００２１】
また、上記の第１実施例では補助カバー２を円板形にし、又、第２実施例では補助カバー２を半卵形にし、又、第３実施例で補助カバー２をキャップ形にしているが、補助カバー２の形状も自由であり、これら実施例の形状に限定するものではない。
【００２２】
また、上記の第１実施例では補助カバー２を赤にし、又、第２実施例では補助カバー２をオレンジ色にし、又、第３実施例では補助カバー２を白色にしているが、補助カバー２の色も自由であり、これら実施例の色に限定するものではない。
【００２３】
また、上記の第１実施例では補助カバー２をカバー１の内側に装着し、又、第２実施例及び第３実施例では補助カバー２をカバー１の外側に被せる構造としているが、どちらを内側にしても構わない。
【００２４】
また、上記の第１実施例ないし第３実施例では、ライト本体３の光源として豆電球６を使用しているが、光源の種類は自由であり、豆電球６の代わりに、その他の光源、例えばＬＥＤなどを使用することも可能である。
【００２５】
また、上記の第１実施例及び第３実施例で使用しているカバー固定具４や、第２実施例で使用している補助カバー固定具９の構造も自由であり、上記のものに限定するものではない。
【００２６】
また、上記の第１実施例ないし第３実施例ではカバー１及び補助カバー２をそれぞれ取り外し可能としているが、これらをライト本体３に固着することも可能である。ただし、ライト本体３にカバー１や補助カバー２を取り付けた状態であっても、ライト本体３の光源や電池を交換できるようにする。
【００２７】
なお、補助カバー２は、色の異なるものと交換できるように脱着自在とすることが好ましい。
【００２８】
本発明のライトの使用方法は自由であり、例えば、合図灯、信号灯、警告灯、案内灯等として使用することができる。もちろん、照明灯としても使用可能で、例えば、上記の第３実施例のように、白色の補助カバー２をカバー１に被せて、野営テント等におけるランタンとして使用すれば、周囲を均一に照明することができる。
【００２９】
【発明の効果】
請求項１記載の本発明のライトは、ライト本体３の光源をカバー１と補助カバー２の２種類のカバーで覆い、そのカバー１を多数個の無色透明の粒状体５を結合した構造にしたので、光源から照射される光がカバー１の各粒状体５に当たったときに乱反射してキラキラ光ることになり、光源の前方ばかりでなく側方からもはっきりとその光を視認することができる。また、補助カバー２を光が通過することにより色付きとなるので白色光よりも目立ち、明るい場所でも明確に視認することができる。
また、光を色付きとすることにより、その色の違いでライトを使用する多数の人々をグループ分けしたり、使用目的などで区別することができる。
【００３０】
また、請求項２記載の本発明のライトは、ベルト１２で腕などに取付けることができるので、手で持つ必要がなく、両手がふさがっている人が使用するのに都合が良い。例えば自転車に乗る人が腕に装着できるので、ハンドルから手を離す必要がなく、安全に自転車を走行させることができる。そして、自動車のドライバに対し光で注意を促すことができるので、事故を防止することができる。
【図面の簡単な説明】
【図１】第１実施例の分解斜視図である。
【図２】第１実施例の断面図である。
【図３】第２実施例の分解斜視図である。
【図４】第２実施例の断面図である。
【図５】第３実施例の断面図である。
【符号の説明】
１　カバー
２　補助カバー
３　ライト本体
４　カバー固定具
５　粒状体
６　豆電球
７　握り
８　リング
９　補助カバー固定具
１０　基台
１１　電池
１２　ベルト
１３　雌の面ファスナ
１４　雄の面ファスナ
１５　鍔部
１６　爪片
【図１】
2004047391.tif 000003
【図２】
2004047391.tif 000004
【図３】
2004047391.tif 000005
【図４】
2004047391.tif 000006
【図５】
2004047391.tif 000007